(57)【要約】【課題】　データの連続入出力を可能とし、また複数の入出力を同時に行え、更に、見かけ上の内部データ転送速度を向上させ、同時に扱える入出力数を増加できるデータ記憶装置を提供する。【解決手段】　圧縮／伸長部２２は、データレート変換用のバッファメモリ２３を圧縮処理用のメモリとして共用化して用い、ＳＤＩデータを圧縮し、内部のデータ転送量を減らす。分配／集合部２４は、例えば１０チャンネル分の圧縮されたＳＤＩデータを複数に分割して、１チャンネル分をディスクアレイ部２８の８つの光磁気ディスク装置Ｄ１，Ｄ２・・Ｄ７及びＤ８に相当するように分配する。エラーチェックコード付加／検出部２５は、圧縮され分配されたＳＤＩデータにエラー訂正符号を付加し、バッファメモリ２６に書き込む。プロトコルコントローラ２７は、バッファメモリ２６からのデータをディスクアレイ部２８に記録する。【選択図】　図２　
2004078946.tif 000002
【特許請求の範囲】
【請求項１】
　複数チャンネルの入出力端子と、複数のディスク装置に対して並列的に情報データを記録及び再生する記憶手段と、上記入出力端子から入力された情報データを１チャンネル或は複数チャンネル同時に上記記憶手段に送り、この記憶手段にて再生された情報データを１チャンネル或は複数チャンネル同時に任意の順序で上記入出力端子に出力する入出力手段とを有するデータ記憶装置であって、
　上記入出力手段は、上記入出力端子から入力された複数チャンネルの情報データを圧縮すると共に、上記複数のディスク装置から再生された情報データを伸長する圧縮／伸長部を有することを特徴とするデータ記憶装置。
【請求項２】
　上記記憶手段として、複数のディスク装置に対して並列的に記録再生を行うディスクアレイ部を用い、
　上記入出力手段内に、入力された複数チャンネルの情報データを分配して上記ディスクアレイ部の複数のディスク装置に送り、これらの複数のディスク装置から再生された情報データを集合して複数チャンネルの出力として取り出す分配／集合部を設けることを特徴とする請求項１記載のデータ記憶装置。
【請求項３】
　上記圧縮／伸長部と上記分配／集合部との間には、データレート変換用のバッファメモリを設けることを特徴とする請求項２記載のデータ記憶装置。
【請求項４】
　上記分配／集合部と上記ディスクアレイ部との間にはエラー検出符号化手段を設けることを特徴とする請求項２記載のデータ記憶装置。
【請求項５】
　上記エラー検出符号化手段により得られたエラー検出符号を記録するための専用ディスク装置を上記ディスクアレイ部に設けることを特徴とする請求項４記載のデータ記憶装置。
【請求項６】
　上記情報データとして、映像信号データを用いることを特徴とする請求項１記載のデータ記憶装置。
【請求項７】
　上記情報データとして、オーディオ信号データを用いることを特徴とする請求項１記載のデータ記憶装置。
【発明の詳細な説明】
【技術分野】
【０００１】
　本発明は、例えば映像データのような大量のデータを記憶するデータ記憶装置に関する。
【背景技術】
【０００２】
　現在、コンピュータ用のデータ記憶装置としてディスクアレイ装置が用いられている。このディスクアレイ装置は、転送速度性能と記憶容量を向上させることができるため、高い信頼性を得ており、高速大容量記憶装置として使われている。
【０００３】
　図４に、コンピュータ用のディスクアレイ装置５０とホストコンピュータ６０を接続した状態を示す。
【０００４】
　ディスクアレイ装置５０は、例えば複数のハードディスクドライブ（以下、ＨＤＤという。）を並列に接続したディスクアレイ部５２を有するディスクドライブ５１と、このディスクドライブ５１をバス部５６を介して制御するディスクドライブ制御部５７とから構成されている。
【０００５】
　ディスクドライブ５１は、ディスクアレイ部５２の他、該ディスクアレイ部５２の各ＨＤＤに記録／再生されるデータに所定の信号処理を施す信号処理部５３1・・５３nと、エラー訂正符号（Error correcting code：以下ＥＣＣとい。）を用いてデータのエラー訂正を行うＥＣＣ部５４とからなる信号処理／エラー訂正部５５も有する。ここで、例えば信号処理部５３1は、スモール・コンピュータ・システム・インターフェース（Small Computer System Interface:以下、ＳＣＳＩという。）プロトコルコントローラ（図中、S.P.C.と記す。）と、バッファと、メモリを有して成る。
【０００６】
　バス部５６は、ＥＣＣ用のデータバス５６ａと、各部を制御するためのコマンド用のバス５６ｂと、ダイレクトメモリアクセス（Direct Memory Access：以下ＤＭＡという。）のためのデータバス５６ｃよりなる。
【０００７】
　ディスクドライブ制御部５７は、メモリ、ＣＰＵ、ＤＭＡコントローラ及びデュアルポートＲＡＭを有して構成され、ディスクドライブ５１にシステムバス６１を介してホストコンピュータ６０との間でデータ又はコマンドの送受を実行させる。
【０００８】
　ホストコンピュータ６０は、システムバス６１によりデータ又はコマンドをディスクドライブ５１との間で送受する。
【０００９】
【特許文献１】特開平０４−２６９０８７号公報
【発明の開示】
【発明が解決しようとする課題】
【００１０】
　ところで、ディスクアレイ装置５０は、１本のシステムバス６１を経由してホストコンピュータ６０と接続されており、本質的に１入力又は１出力になっている。このため、データと制御用のコマンドを同時に送ることが出来ないためデータを連続的に入出力出来ない。
【００１１】
　また、複数の入出力要求が同時に来ても一つずつ順番に実行していくことしか出来ないため、例えば動画像データや音声データのように途切れさせられないデータを記憶させる場合には適さない。
【００１２】
　本発明は、上記実情に鑑みてなされたものであり、データの連続入出力が可能となり、また複数の入出力を同時に行うことができ、さらに、見かけ上の内部データ転送速度を向上させ、同時に扱える入出力数を増加できるデータ記憶装置の提供を目的とする。
【課題を解決するための手段】
【００１３】
　本発明に係るデータ記憶装置は、複数チャンネルの入出力端子と、複数のディスク装置に対して並列的に情報データを記録及び再生する記憶手段と、上記入出力端子から入力された情報データを１チャンネル或は複数チャンネル同時に上記記憶手段に送り、この記憶手段にて再生された情報データを１チャンネル或は複数チャンネル同時に任意の順序で上記入出力端子に出力する入出力手段とを有するデータ記憶装置であって、上記入出力手段は、上記入出力端子から入力された複数チャンネルの情報データを圧縮すると共に、上記複数のディスク装置から再生された情報データを伸長する圧縮／伸長部を有することにより上記課題を解決する。
【００１４】
　この場合、上記記憶手段として、複数のディスク装置に対して並列的に記録再生を行うディスクアレイ部を用い、上記入出力手段内に、入力された複数チャンネルの情報データを分配して上記ディスクアレイ部の複数のディスク装置に送り、これらの複数のディスク装置から再生された情報データを集合して複数チャンネルの出力として取り出す分配／集合部を設けることが好ましい。
【００１５】
　また、上記圧縮／伸長部と上記分配／集合部との間には、データレート変換用のバッファメモリを設けることが好ましい。
【００１６】
　また、上記分配／集合部と上記ディスクアレイ部との間にはエラー検出符号化手段を設けることが好ましい。
【００１７】
　また、この場合、上記エラー検出符号化手段により得られたエラー検出符号を記録するための専用ディスク装置を上記ディスクアレイ部に設けることが好ましい。
【００１８】
　また、本発明に用いる情報データとしては、映像信号データやオーディオ信号データを用いることができる。
【００１９】
　入出力手段は、複数チャンネルの入出力端子から入力された情報データを１チャンネル或は複数チャンネル同時に記憶手段に送る際に、内蔵する圧縮／伸長部で該情報データを圧縮すると共に、上記記憶手段にて再生された情報データを上記入出力端子に出力する際に、上記圧縮／伸長部で該再生情報を伸長するので、データの連続入出力を可能とし、また複数の入出力を同時に行え、さらに、見かけ上の内部データ転送速度を向上させ、同時に扱える入出力数を増加できる。また、上記圧縮／伸長部を内蔵することにより、入出力手段用のバッファメモリを有効に使うことができ、さらに圧縮／伸長のためのフォーマットの制約を受けず独自の圧縮／伸長のアルゴリズムを使うことができる。さらに、データ記憶装置の外部に圧縮／伸長部を設けた場合に比べて、小型化を図ることが出来る。
【発明の効果】
【００２０】
　本発明に係るデータ記憶装置は、複数チャンネルの入出力端子と、複数のディスク装置に対して並列的に情報データを記録及び再生する記憶手段と、上記入出力端子から入力された情報データを１チャンネル或は複数チャンネル同時に上記記憶手段に送り、この記憶手段にて再生された情報データを１チャンネル或は複数チャンネル同時に任意の順序で上記入出力端子に出力する入出力手段とを有するデータ記憶装置であって、上記入出力手段は、上記入出力端子から入力された複数チャンネルの情報データを圧縮すると共に、上記複数のディスク装置から再生された情報データを伸長する圧縮／伸長部を有するので、データの連続入出力を可能とし、また複数の入出力を同時に行え、更に、見かけ上の内部データ転送速度を向上させ、同時に扱える入出力数を増加できる。また、上記圧縮／伸長部を内蔵することにより、入出力手段用のバッファメモリを有効に使うことができ、さらに圧縮／伸長のためのフォーマットの制約を受けず独自の圧縮／伸長のアルゴリズムを使うことができる。さらに、データ記憶装置の外部に圧縮／伸長部を設けた場合に比べて、小型化を図ることが出来る。
【発明を実施するための最良の形態】
【００２１】
　以下、本発明に係るデータ記憶装置の好ましい実施例について図面を参照しながら説明する。
【００２２】
　すなわち、本発明の一実施例としてのデータ記憶装置は、連続性が要求されるビデオ信号を大量に記憶するいわゆる映像データ記憶装置であり、ビデオテープレコーダ、テレビジョンカメラ或は通信衛星用アンテナを入力装置とし、ビデオテープレコーダ、信号送出装置或は画像モニタ装置を出力装置として用いる映像データ記録再生システムを構成するのに適用される。以下、先ず、映像データ記録再生システムの全体を説明し、次に、映像データ記憶装置について説明する。
【００２３】
　先ず、映像データ記録再生システムについて図１を参照して説明する。この映像データ記録再生システムは、映像信号データを入力する映像データ入力装置である通信衛星用受信アンテナ１、テレビジョンカメラ２及びビデオテープレコーダ３と、映像信号データを出力する映像データ出力装置であるビデオテープレコーダ３、信号送出装置４及び画像モニタ装置と、上記映像データ入力装置からの映像信号データを１チャンネルあるいは複数チャンネル同時に記録し、この記録された映像データ信号を１チャンネルあるいは複数チャンネル同時に再生して任意の順序で映像データ出力装置であるビデオテープレコーダ３、信号送出装置４及び画像モニタ装置に出力すると共に、映像信号データの記録及び再生を同時に行う映像データ記憶装置５とを有して構成されている。
【００２４】
　また、この映像データ記録再生システムは、上記映像データ入力装置からのシリアルディジタル信号を映像データ記憶装置５にシリアル伝送すると共に、該映像データ記憶装置５からの映像データ信号を上記映像データ出力装置に転送するデータ転送装置６と、このデータ転送装置６を介して映像信号データを編集する編集制御装置７と、映像データ出力装置である信号送出装置４及びビデオテープレコーダ３と、該ビデオテープレコーダ３、該信号送出装置４、該ディスクアレイ部５、該データ転送装置６及び該編集制御装置７の動作を制御系ネットワーク８を介して制御するシステム制御装置９も有して構成される。
【００２５】
　ビデオテープレコーダ３は、ビデオテープレコーダ本体部３ａと、ビデオテープレコーダ制御部３ｂとから構成されており、システム制御装置９から供給される制御信号に基づいてビデオテープレコーダ制御部３ｂにビデオテープレコーダ本体部３ａの動作を制御させている。
【００２６】
　また、映像データ記憶装置５は、ディスクドライブ５ａと、ディスクドライブ制御部（図中、ＤＤ制御と記す。）５ｂとを有して構成されており、システム制御装置９から供給される制御信号に基づいてディスクドライブ制御部５ｂにディスクドライブ５ａの動作を制御させている。
【００２７】
　また、データ転送装置６は、以下にＳＤＩ切り換え部と記すシリアルディジタルインターフェース切り換え部６ａと、切り換え制御部６ｂとから構成されており、システム制御装置９から供給される制御信号に基づいて切り換え制御部６ｂにＳＤＩ切り換え部６ａでのシリアルデータフォーマット化を制御させている。
【００２８】
　このデータ転送装置６と、上記映像データ入力装置、上記映像データ出力装置及び映像データ記憶装置５及び編集制御装置７との間には、データ転送系ネットワーク１０が設けられており、映像データが伝送されている。
【００２９】
　そして、このシステム全体の出力信号は、信号送出装置４からデータ転送系ネットワーク１０を介して外部の例えば画像モニタ装置にも出力される。
【００３０】
　入力装置であるビデオテープレコーダ３、衛星アンテナ１及びテレビジョンカメラ２から得られる映像データ信号は、データ転送装置６を介して一旦、映像データ記憶装置５に記録される。このとき、上記映像データ入力装置とデータ転送装置６との間の映像データ信号は、上述したようにＳＤＩに基づいたフォーマットでシリアル伝送される。このデータ転送装置６は、ＳＤＩ切り換え部６ａを用いることで、任意の機器との間を容易に接続することができる。
【００３１】
　すなわち、データ転送装置６及び映像データ記憶装置５は、制御系ネットワーク８を介してシステム制御装置９から供給される制御命令に基づいて、機器間の接続や記録場所を設定し、映像データ信号をデータ転送系ネットワーク１０を介して送出している。
【００３２】
　システム制御装置９が用いる制御系ネットワーク８としては、イーサーネット（Ethernet、登録商標）やＦＤＤＩ等のコンピュータネットワークが利用できる。
【００３３】
　映像データ記憶装置５に記録された映像データ信号は編集制御装置７からの制御に応じて、ディスクドライブ制御部５ｂによりディスクドライブ５ａから読み出され、データ転送装置６を介して編集制御装置７により加工される。ここで、編集による加工を必要とせず、送出に必要な部分を選び出すような場合には、必要な部分のアドレスだけあればよいので、再び映像データ記憶装置５のディスクドライブ５ａに記録する必要はなく、そのアドレスデータはシステム制御装置９で保持される。
【００３４】
　編集制御装置７の制御に応じて実施された編集結果に関する情報は、システム制御装置９で保持されると共に、送出装置４にも制御系ネットワーク８を経由して送られる。そして、システム制御装置９からの指示で映像データ記憶装置５から読み出された映像データ信号はデータ転送装置６を介して信号送出装置４からデータ系ネットワーク１０を介して外部に送出される。
【００３５】
　次に、映像データ記憶装置５は、図２にその詳細を示すように例えば８つの光磁気ディスク装置Ｄ１，Ｄ２・・・Ｄ７及びＤ８を並列に接続したディスクアレイ部２８を有するディスクドライブ５ａと、このディスクドライブ５ａを制御するディスクドライブ制御部５ｂとを有して構成されている。ここで、図２のディスクドライブ５ａの内部には、複数のＳＤＩＩ／Ｆ、データフォーマッター、圧縮／伸長部、バッファメモリ、プロトコルコントローラが記載されているが、説明の都合上、符号は各部を代表する一ずつに付すにとどめる。
【００３６】
　ディスクドライブ５ａは、入力されたＳＤＩデータである映像データ信号を圧縮してから、分配し、インターリーブをかけて、映像データ信号の記録及び再生を同時に行うディスクアレイ部２８の８つの光磁気ディスク装置Ｄ１，Ｄ２・・・Ｄ７及びＤ８に格納する。すなわち、このディスクドライブ５ａは、大量の映像データ信号を圧縮し、分配して蓄積する。
【００３７】
　ここで、このディスクドライブ５ａは、データ転送系ネットワーク１０からの映像データ信号を送受するための入出力端子から入力された映像データ信号を１チャンネルあるいは複数チャンネル同時にディスクアレイ部２８に送ると共に、このディスクアレイ部２８にて再生された映像データ信号を１チャンネルあるいは複数チャンネル同時に任意の順序で上記入出力端子に出力する入出力制御手段も有している。
【００３８】
　上記入出力制御手段内には、入力された複数チャンネルの映像データを圧縮すると共に、ディスクアレイ部２８から再生された映像データ信号を伸長する圧縮／伸長部２２が設けられている。
【００３９】
　また、上記入出力制御手段内には、入力された複数チャンネルの情報データを分配して上記ディスクアレイ部２８の８つの光磁気ディスク装置Ｄ１，Ｄ２・・・Ｄ７及びＤ８に送ると共に、これらの８つの光磁気ディスク装置から再生された映像データ信号を集合して複数チャンネルの出力として取り出す分配／集合部２４も設けられている。
【００４０】
　そして、ディスクドライブ制御部５ｂは、上述したように制御系ネットワーク８を介してシステム制御装置９から制御命令が供給される。
【００４１】
　先ず、この制御命令が映像データ信号をディスクドライブ５ａに記録せよというものであった場合について以下に説明する。
【００４２】
　この制御命令は、ネットワークインターフェース（図２にはネットワークＩ／Ｆと記す）３１を介して中央演算処理ユニット（以下ＣＰＵと記す）３４に供給されると共に必要に応じてメモリ装置であるランダムアクセスメモリ（以下ＲＡＭと記す）３２に格納される。ＣＰＵ３４に供給された制御命令は、該ＣＰＵ３４にて解読され、制御信号としてインターフェース（図２にはＩ／Ｆと記す）３３を経由してディスクドライブ５ａに供給される。
【００４３】
　ディスクドライブ５ａには、上述したようにデータ転送装置６のＳＤＩ切り換え部６ａを介したＳＤＩフォーマットのＳＤＩデータがデータ系ネットワーク１０を介して供給される。このＳＤＩデータは、ＳＤＩインターフェース（図２にはＳＤＩＩ／Ｆと記す）２０で受け取られ、データフォーマッター２１を介して圧縮／伸長部２２に供給される。
【００４４】
　圧縮／伸長部２２は、データフォーマッター２１を介したＳＤＩデータを必要に応じて圧縮し、内部のデータ転送量を減らす。このときの圧縮処理は、ビデオデータのフィールド内又はフレーム内差分或は、フィールド間又はフレーム間差分に応じて行うことが考えられる。通常、このような圧縮処理を行う場合には、フレームメモリ又はフィールドメモリのような記憶手段が必要になるが、この映像データ記憶装置では、データレート変換用のバッファメモリ２３を共用して使うことができる。この圧縮／伸長部２２でバッファメモリ２３を用いて圧縮されたＳＤＩデータは、ディスクアレイ部２８の８つの光磁気ディスク装置Ｄ１，Ｄ２・・Ｄ７及びＤ８に同時に書き込まれるように分配させられるために分配／集合部２４に供給される。この分配／集合部２４は、例えば１０チャンネル分の圧縮されたＳＤＩデータを複数に分割して、１チャンネル分をディスクアレイ部２８の８つの光磁気ディスク装置Ｄ１，Ｄ２・・Ｄ７及びＤ８に相当するように分配すると共に、再生の際にはディスクアレイ部２８の該８チャンネルからの分配映像データ信号を集合して１チャンネルの出力データに変換する。
【００４５】
　この分配／集合部２４で分配されたＳＤＩデータである映像データ信号は、エラー訂正用の符号を付加するエラーチェックコード付加／検出部２５に供給される。このエラーチェックコード付加／検出部２５にてエラーチェックコードが付加された映像データ信号は、バッファメモリ２６に供給され、該バッファメモリ２６に書き込まれる。
【００４６】
　このバッファメモリ２６に書き込まれたエラーチェックコードが付加された映像データ信号は、例えば、スモール・コンピュータ・システム・インターフェース（Small Computer System Interface:以下、ＳＣＳＩという。）プロトコルコントローラのようなプロトコルコントローラ２７の制御により取り出され、ディスクアレイ部２８に記録される。このプロトコルコントローラ２７には、ディスクドライブ制御部５ｂのインターフェース部３３から制御信号が供給されている。このため、このプロトコルコントローラ２７は、上述したようにバッファメモリ２６からエラーチェックコードが付加された映像データ信号を取り出し、該映像データ信号をディスクアレイ部２８に記録する。
【００４７】
　このように、ディスクドライブ５ａは、ディスクアレイ部２８と圧縮／伸長部２２とデータレート変換用のバッファメモリ２３を用いて、記録時に入力される映像データ信号を圧縮し、該映像データ信号をディスクアレイ部２８に分配して、記録できる。
【００４８】
　すなわち、ＳＤＩ／ＩＦ２０から入力された映像データは、バッファメモリ２３までは各入力チャンネル毎に処理されるが、分散／集合部２４からディスクアレイ部２８まではどれか一つの入力チャンネルに対して同時に処理が進められる。
【００４９】
　ここで、このディスクドライブ５ａのディスクアレイ部２８は複数の光磁気ディスク装置からなり、また、このディスクドライブ５ａは圧縮／伸長部２２を設けているので、内部データ転送量は、外部データ転送量に対して十分に大きく取ることが出来る。このため、１チャンネル分のデータを処理するのに要する時間は入力に要する時間より短くすることができる。
【００５０】
　例えば、入力の単位を画像１フレーム分とすると、入力に要する時間は１／３０秒となる。もし、内部処理に要する時間が１／１２０秒であったとすると、すなわち内部処理が入力に対して４倍速かったとすると、この映像データ記憶装置５は４つの入力に対して処理を行っても、入力を滞らせることがない。すなわち、同時に４つの入力を扱うことができる。この場合の処理タイミングを図３を参照しながら説明する。
【００５１】
　先ず、ＳＤＩＩ／Ｆ２０から入力された画像は、１フレーム分の映像データとしてバッファメモリ２３に蓄えられる。このときに要する時間は、１／３０秒である。４つの入力をＩＮ1、ＩＮ2、ＩＮ3及びＩＮ4とすると、これら入力ＩＮ1、ＩＮ2、ＩＮ3及びＩＮ4は、同時にバッファメモリ２３に蓄えられることになる。このバッファメモリ２３に蓄えられたデータは、１入力当り１／１２０秒の時間をかけて内部処理が行われ、ディスクアレイ部２８に書き込まれる。この処理を入力ＩＮ1から順番に行っていくと、入力ＩＮ4の処理が終了するまでには合計１／３０（＝４×１／１２０）秒かかることになる。この処理を行っている間、バッファメモリ２３には次の画像が送られてくる。しかし、処理も１／３０秒で完了しているので、次の１／３０秒でこのデータを処理することが出来る。
【００５２】
　以上、システム制御装置９からの制御命令が映像データ信号をディスクドライブ５ａに記録せよというものであった場合に、データ転送装置６を介した入力装置からの映像データ信号が映像データ記憶装置５に記録される動作を説明した。
【００５３】
　一方、システム制御装置９からの制御命令がディスクドライブ５ａのディスクアレイ部２８に記録された映像データ信号を再生せよというものであった場合は、以下に説明するようになる。
【００５４】
　ネットワークインターフェース３１を介してＣＰＵ３４に供給され、該ＣＰＵ３４にて解読された制御信号は、インターフェース３３を経由してディスクドライブ５ａのプロトコルコントローラ２７に供給される。
【００５５】
　プロトコルコントローラ２７は、ディスクアレイ部２８からエラーチェックコードの付加された映像データ信号を読み出し、バッファメモリ２６に一旦書き込ませる。
【００５６】
　このバッファメモリ２６から取り出された映像データ信号は、エラーチェックコード付加／検出部２５にてエラー訂正された後、分配／集合部２４に供給される。
【００５７】
　この分配／集合部２４にて再生送出のためにディスクアレイ部２８の複数チャンネルから一つにまとめられた出力映像データ信号は、バッファメモリ２３を介して圧縮／伸長部２２に供給される。
【００５８】
　この圧縮／伸長部２２は、バッファメモリ２３を用いて出力映像データ信号に伸長処理を施す。そして、伸長された出力映像データ信号は、データフォーマッター２１及びＳＤＩインターフェース２０にて所定の処理が施された後、データ系ネットワーク１０を介してデータ転送装置６に供給される。
【００５９】
　そして、データ転送装置６から送出装置４に供給された映像データ信号は、該送出装置４から外部の例えば画像モニタ装置等に送出される。
【００６０】
　このようにディスクドライブ５ａは、ディスクアレイ部２８からの圧縮映像データ信号を集合して元のデータレートになるように伸張する機能も有する。
【００６１】
　以上、この映像データ記憶装置５は、映像データ信号の転送速度を速くすることができ、同時にアクセス可能な入出力の数を増やすことができ、現在記録中の映像データ信号をすぐに再生したり、任意の映像データ信号を任意の順序で複数の入出力に対して途切れることなく処理することができる。また、この映像データ記憶装置５は、圧縮／伸長部２２を内蔵するので、バッファメモリ２３を共用化して使うことができ、さらに圧縮／伸長のためのフォーマットの制約を受けず独自の圧縮／伸長のアルゴリズムを使うことができる。さらに、外部に圧縮／伸長部を設けた場合に比べて、システム構成の際に小型化を図ることが出来る。
【００６２】
　なお、本発明に係るデータ記憶装置は、上述した実施例である映像データ記憶装置にのみ限定されるものではなく、情報データ信号としてオーディオデータ信号を考慮したオーディオデータ記憶装置としてもよい。
【００６３】
　また、ディスクアレイ部２８においては、エラーチェックコード付加／検出部にて付加されたエラーチェックコード用に専用のディスクを準備してもよい。
【図面の簡単な説明】
【００６４】
【図１】本発明に係るデータ記憶装置の実施例を用いて構成した映像データ記録再生システムの概略構成を示すブロック図である。
【図２】図１に示した映像データ記録再生システムに用いた本発明に係るデータ記憶装置の実施例である映像データ記憶装置の概略構成を示すブロック図である。
【図３】図２に示した映像データ記憶装置の動作を説明するためのタイミングチャートである。
【図４】従来のディスクアレイ装置の概略構成を示すブロック図である。
【符号の説明】
【００６５】
　５　映像データ記憶装置、５ａ　ディスクドライブ、５ｂ　ディスクドライブ制御部、６　データ転送装置、２０　ＳＤＩインターフェース、２１　データフォーマッター、２２　圧縮／伸長部、２３　バッファメモリ、２４　分配／集合部、２５　エラーチェックコード付加／検出部、２６　バッファメモリ、２７　プロトコルコントローラ、２８　ディスクアレイ部
【図１】
2004078946.tif 000003
【図２】
2004078946.tif 000004
【図３】
2004078946.tif 000005
【図４】
2004078946.tif 000006
【手続補正書】
【提出日】平成15年9月2日(2003.9.2)
【手続補正１】
【補正対象書類名】特許請求の範囲
【補正対象項目名】全文
【補正方法】変更
【補正の内容】
【特許請求の範囲】
【請求項１】
　外部から入力された映像データを記録する映像データ記憶装置と、制御信号によりシステムを制御するシステム制御装置とからなる映像データ記録再生システムであって、
　上記映像データ記憶装置、上記システム制御装置はネットワークを介して接続されており、
　該ネットワークは、データ系ネットワークと制御系ネットワークとからなり、
　映像データは、該データ系ネットワークで伝送され、
　制御信号は、該制御系ネットワークで伝送され、
　映像データと制御信号を同時に伝送することができることを特徴とする映像データ記録システム。
【請求項２】
　さらに、上記ネットワークを介して接続された編集制御装置を有し、
　該編集制御装置は、上記データ系ネットワークを介して上記映像データ記憶装置から映像データを読み出して編集を行うことを特徴とする請求項１記載の映像データ記録再生システム。
【請求項３】
　さらに、上記ネットワークを介して接続された送出装置を有し、
該送出装置は、上記制御系ネットワークで伝送される上記システム制御装置からの制御信号に基づいて、上記データ系ネットワークを介して上記映像データ記憶装置からの映像データを送出することを特徴とする請求項１記載の映像データ記録再生システム。
【請求項４】
　上記映像データ記憶装置は複数のディスクドライブからなり、データ系ネットワーク上の複数の入力チャネルからの映像データを記録することを特徴とする請求項１記載の映像データ記録再生システム。
【請求項５】
　上記映像データ記憶装置はさらに圧縮／伸長部を備え、外部からの映像データが入力されるのに要する時間より短い時間で、該映像データを内部処理することを特徴とする請求項１記載の映像データ記録再生システム。
【請求項６】
　上記映像データ記憶装置は複数のディスクドライブからなり、さらに圧縮／伸長部を備え、外部からの映像データが入力されるのに要する時間より短い時間で、該映像データを内部処理することで、同時に複数の入出力を扱うことを特徴とする請求項１記載の映像データ記録再生システム。
【請求項７】
　入力チャネルに接続された映像データ入力装置は、上記制御系ネットワークを介して供給される制御信号に基づいて動作を制御されることを特徴とする請求項１記載の映像データ記録再生システム。
【請求項８】
　制御信号によりシステムを制御して、外部から入力された映像データを映像データ記憶装置に記録し、ネットワークを介して伝送する映像データ記録再生方法であって、
　上記ネットワークの内の制御系ネットワークでの上記制御信号の伝送と、上記ネットワークの内のデータ系ネットワークでの上記映像データの伝送とを同時に行う伝送工程を
　備えることを特徴とする映像データ記録再生方法。
【請求項９】
　さらに、上記データ系ネットワークを介して上記映像データ記憶装置から映像データを読み出して編集を行う編集制御工程を備えることを特徴とする請求項８記載の映像データ記録再生方法。
【手続補正３】
【補正対象書類名】明細書
【補正対象項目名】０００１
【補正方法】変更
【補正の内容】
【０００１】
　本発明は、例えば映像データのような大量のデータをデータ記憶装置に記録し、映像データと制御信号を同時に伝送することができる映像データ記録再生システム及び映像データ記録再生方法に関する。
【手続補正４】
【補正対象書類名】明細書
【補正対象項目名】００１２
【補正方法】変更
【補正の内容】
【００１２】
　本発明は、上記実情に鑑みてなされたものであり、ネットワークの内の制御系ネットワークでの制御信号の伝送と、ネットワークの内のデータ系ネットワークでの映像データの伝送とを同時に行うことができる映像データ記録再生システム及び映像データ記録再生方法の提供を目的とする。
【手続補正５】
【補正対象書類名】明細書
【補正対象項目名】００１３
【補正方法】変更
【補正の内容】
【００１３】
　本発明に係る映像データ記録再生システムは、外部から入力された映像データを記録する映像データ記憶装置と、制御信号によりシステムを制御するシステム制御装置とからなる映像データ記録再生システムであって、上記映像データ記憶装置、上記システム制御装置はネットワークを介して接続されており、該ネットワークは、データ系ネットワークと制御系ネットワークとからなり、映像データは、該データ系ネットワークで伝送され、制御信号は、該制御系ネットワークで伝送され、映像データと制御信号を同時に伝送することにより上記課題を解決する。
【手続補正６】
【補正対象書類名】明細書
【補正対象項目名】００１４
【補正方法】変更
【補正の内容】
【００１４】
　本発明に係る映像データ記録再生方法は、制御信号によりシステムを制御して、外部から入力された映像データを映像データ記憶装置に記録し、ネットワークを介して伝送する映像データ記録再生方法であって、上記ネットワークの内の制御系ネットワークでの上記制御信号の伝送と、上記ネットワークの内のデータ系ネットワークでの上記映像データの伝送とを同時に行う伝送工程を備えることにより上記課題を解決する。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
　本発明に係る映像データ記録再生システム及び映像データ記録再生方法は、ネットワークの内の制御系ネットワークでの制御信号の伝送と、ネットワークの内のデータ系ネットワークでの映像データの伝送とを同時に行うことができる。
【手続補正１３】
【補正対象書類名】明細書
【補正対象項目名】００２１
【補正方法】変更
【補正の内容】
【００２１】
　以下、本発明の好ましい実施の形態について図面を参照しながら説明する。